(57)【要約】【課題】  マイクロホンと送信機間のケーブルの摩擦音を無くすとともに、ケーブルによって使用者の動作が制限されることのないワイヤレスマイクロホンシステムを提供する。【解決手段】  到来する音波から変換された音声信号を第１の無線通信方式に対応する第１の無線信号に変換して送信するマイクロホン１と、マイクロホン１から送信される第１の無線信号を受信し、第２の無線通信方式に対応する第２の無線信号に変換して送信する送信機２と、送信機２から送信される第２の無線信号を受信する受信機３とを備え、マイクロホン１に第１の無線信号を送信するＢＴ（ブルートゥース）送受信部１２が内蔵され、送信機２及び受信機３のそれぞれに、第１の無線通信方式に対応する無線信号を相互に送信及び受信可能なＢＴ送受信部２４，３４が内蔵され、送信機２のＢＴ送受信部２４はマイクロホン１から送信される第１の無線信号をも受信するように構成されている。【選択図】  図１
2008022190.tif 000002
【特許請求の範囲】
【請求項１】
到来する音波から変換された音声信号を第１の無線通信方式に対応する第１の無線信号に変換して送信するマイクロホンと、
前記マイクロホンから送信される前記第１の無線信号を受信し、前記第１の無線通信方式とは異なる第２の無線通信方式に対応する第２の無線信号に変換して送信する送信機と、
前記送信機から送信される前記第２の無線信号を受信する受信機とを備え、
前記マイクロホンに前記第１の無線信号を送信する送信回路が内蔵されるとともに、前記送信機及び受信機のそれぞれに、前記第１の無線通信方式に対応する無線信号を相互に送信及び受信可能な送受信回路が内蔵され、前記送信機に内蔵の前記送受信回路は前記マイクロホンに内蔵の前記送信回路から送信される前記第１の無線信号をも受信するように構成されたワイヤレスマイクロホンシステム。
【請求項２】
前記第１の無線通信方式は、ＷＰＡＮ規格に準じた無線通信方式である請求項１に記載のワイヤレスマイクロホンシステム。
【請求項３】
前記第２の無線通信方式は、前記第１の無線通信方式よりも通信可能距離の長い通信方式である請求項１または２に記載のワイヤレスマイクロホンシステム。
【発明の詳細な説明】
【技術分野】
【０００１】
本発明は、ワイヤレスマイクロホンシステムに関する。
【背景技術】
【０００２】
従来のワイヤレスマイクロホンシステムは、ワイヤレスマイクロホンと受信機とで構成されている（例えば、特許文献１参照）。
【０００３】
この場合、ワイヤレスマイクロホンは、音波を音声信号に変換するマイクロホン部と、マイクロホンにて生成された音声信号に変調等の所定の送信処理を施した無線信号を受信機へ送信するための送信機部とを備えている。受信機では、ワイヤレスマイクロホンの送信機部から送信される無線信号を受信し、その無線信号に復調等の所定の受信処理を施し、スピーカへ出力する。これにより、スピーカから音声が再生出力される。
【特許文献１】特開２００３−９２５３７号公報
【発明の開示】
【発明が解決しようとする課題】
【０００４】
上記のようなワイヤレスマイクロホンにおいて、マイクロホン部と送信機部とが分離され、マイクロホン部が、例えばネクタイや上衣に取り付けられるタイピン型あるいは頭部に装着できるヘッドセット型のマイクロホンからなり、送信機部が、マイクロホンの使用者の服やズボンのポケットに入れたりズボンのベルトにクリップ留めできるように構成された送信機からなる場合には、マイクロホンと送信機とがケーブルで接続されている。これにより、マイクロホンの使用者は、移動しながら両手を自由に使えることが可能である。
【０００５】
しかしながら、マイクロホンと送信機とがケーブルで接続された構成では、ケーブルと人の体や衣服とが擦れたときの音（以下、「ケーブル摩擦音」という）がマイクロホンに入力されると、無用な音がスピーカから出力されてしまい、好ましくない。例えば、スピーカから出力される音声にケーブル摩擦音がともに出力されると、必要な音声を聞きとりにくくなるだけでなく、使用者が演芸等の演者の場合には、ケーブル摩擦音がスピーカから出力されることにより、その演芸の出来具合に悪影響を及ぼすことにもなり、非常に不都合である。また、マイクロホンの使用者が動きのある演技をする場合には、マイクロホンと送信機とを接続するケーブルによって動作が制限されて演技の妨げになることもある。
【０００６】
本発明は上記のような課題を解決するためになされたもので、上記のケーブル摩擦音を無くすとともに、ケーブルによって使用者の動作が制限されることのないワイヤレスマイクロホンシステムを提供することを目的としている。
【課題を解決するための手段】
【０００７】
上記課題を解決するために、本発明のワイヤレスマイクロホンシステムは、到来する音波から変換された音声信号を第１の無線通信方式に対応する第１の無線信号に変換して送信するマイクロホンと、前記マイクロホンから送信される前記第１の無線信号を受信し、前記第１の無線通信方式とは異なる第２の無線通信方式に対応する第２の無線信号に変換して送信する送信機と、前記送信機から送信される前記第２の無線信号を受信する受信機とを備え、前記マイクロホンに前記第１の無線信号を送信する送信回路が内蔵されるとともに、前記送信機及び受信機のそれぞれに、前記第１の無線通信方式に対応する無線信号を相互に送信及び受信可能な送受信回路が内蔵され、前記送信機に内蔵の前記送受信回路は前記マイクロホンに内蔵の前記送信回路から送信される前記第１の無線信号をも受信するように構成されている。
【０００８】
この構成によれば、マイクロホンと送信機との間の音声信号の伝送を、従来のケーブルに代えて、無線通信により行うようにしたため、従来のケーブルと人の体や衣服とが擦れたときに生じるケーブル摩擦音がマイクロホンに入力されることが無くなるとともに、ケーブルによって使用者の動作が制限されることがなく、自由な動作が可能になる。また、送信機と受信機との間での所定のデータの伝送、例えば、受信機から送信機へ受信チャンネルの情報の伝送や、送信機から受信機へ送信機の電池残量の情報の伝送を、無線通信により行うことができる。
【０００９】
また、前記第１の無線通信方式は、ＷＰＡＮ規格に準じた無線通信方式である。
【００１０】
この場合、例えば送信機と受信機との間での所定のデータの伝送をＷＰＡＮ規格に準じた無線通信により行うことにより、例えば赤外線通信のように障害物による通信不良を回避することが可能になる。
【００１１】
また、前記第２の無線通信方式は、前記第１の無線通信方式よりも通信可能距離の長い通信方式である。
【発明の効果】
【００１２】
本発明は、以上に説明した構成を有し、ケーブル摩擦音を無くすとともに、ケーブルによって使用者の動作が制限されることのないワイヤレスマイクロホンシステムを提供することができるという効果を奏する。
【発明を実施するための最良の形態】
【００１３】
以下、本発明の好ましい実施の形態を、図面を参照しながら説明する。
【００１４】
図１は、本発明の実施の形態のワイヤレスマイクロホンシステムの構成を示すブロック図である。
【００１５】
このワイヤレスマイクロホンシステムは、マイクロホン１と送信機２と受信機３とを備えている。
【００１６】
マイクロホン１には、到来する音波を電気信号である音声信号（アナログ信号）に変換し、さらにアナログ・デジタル変換して音声信号（デジタル信号）を生成する音響電気変換部１１と、音響電気変換部１１で生成された音声信号（デジタル信号）を無線信号に変換して送信機２へ送信するブルートゥース送受信部（以下、「ＢＴ送受信部」という）１２とを備えている。このマイクロホン１は、例えば、使用者のネクタイや服の襟元等にクリップで留めることができるタイピン型や、使用者の頭部に装着するための装着部を有するヘッドセット型のマイクロホンである。
【００１７】
送信機２には、送信アンテナ２１と、制御部２２と、音声信号送信処理部２３と、ＢＴ送受信部２４と、本送信機２の電源として用いている電池（図示せず）の残量を検出する電池残量検出部２５とを備えている。この送信機２は、例えば、使用者の上衣やズボンのポケットに入れたり、ズボンのベルトにクリップ留めしたりして携帯することができる小型のものである。
【００１８】
受信機３には、受信アンテナ３１と、制御部３２と、音声信号受信処理部３３と、ＢＴ送受信部３４と、液晶ディスプレイ等からなる表示部３５とを備えている。この受信機３は、所定の場所に設置される半据付型または据付型のものである。
【００１９】
マイクロホン１、送信機２及び受信機３のそれぞれに備えられているＢＴ送受信部１２、２４、３４は、ＷＰＡＮ（Wireless Personal Area Network:個人用無線ネットワーク）の規格の１つであるブルートゥース（「Bluetooth（登録商標）」）と呼ばれる無線通信規格（IEEE 802.15.1）に準拠し、それぞれの間で、２．４ＧＨｚ帯の周波数の無線信号を利用して、例えば約１０ｍ以内で無線通信を行なうための送受信部である。このような送受信部は、例えば市販されている小型で安価なハードウェアを用いて構成することができる。なお、ブルートゥース規格に準拠して無線通信を行うＢＴ送受信部１２、２４、３４の代わりに、他のＷＰＡＮの規格、例えば、ＵＷＢ規格（IEEE 802.15.3a）あるいはＺｉｇＢｅｅ規格（IEEE 802.15.4）等に準拠して無線通信を行うための送受信部を設けてあってもよい。
【００２０】
以上のように構成されたワイヤレスマイクロホンシステムの操作及び動作について説明する。
【００２１】
まず、ＢＴ送受信部２４を有する送信機２とＢＴ送受信部１２を有するマイクロホン１との間でペアリングを行う。このペアリングは、例えば送信機２及びマイクロホン１のそれぞれに設けられた所定の押しボタンを押すことにより送信機２とマイクロホン１との間で接続セッションを開始し、さらに、例えば送信機２の図示しない操作入力部から、マイクロホン１に予め割り当てられているパスコードを入力することにより行われる。これにより、その後、マイクロホン１と送信機２との間でＢＴ送受信部１２、２４を介してデータ等の無線通信が可能になる。
【００２２】
同様に、ＢＴ送受信部２４を有する送信機２とＢＴ送受信部３４を有する受信機３との間でペアリングを行う。このペアリングは、例えば送信機２及び受信機３のそれぞれに設けられた所定の押しボタンを押すことにより送信機２と受信機３との間で接続セッションを開始し、さらに、例えば送信機２の図示しない操作入力部から、受信機３に予め割り当てられているパスコードを入力することにより行われる。これにより、その後、送信機２と受信機３との間でＢＴ送受信部２４、３４を介してデータ等の無線通信が可能になる。
【００２３】
また、送信機２と受信機３とのペアリングが完了すると、受信機３では、制御部３２の制御により、音声信号受信処理部３３に例えば予め設定されている受信チャンネル（受信周波数）情報をＢＴ送受信部３４から送信機２へ送信する。送信機２では、ＢＴ送受信部２４にて受信チャンネル情報を受信し、制御部２２はこの受信チャンネル情報に合わせて送信チャンネル（送信周波数）を音声信号送信処理部２３に設定する。例えば、８０６．１２５〜８０９．７５０ＭＨｚ内を０．１２５ＭＨｚごとに分けた３０チャンネルのうちの１つのチャンネルが、受信チャンネル及び送信チャンネルに設定される。
【００２４】
なお、送信機２とマイクロホン１とのペアリングの処理、及び送信機２と受信機３とのペアリングの処理は、どちらを先に行ってもよい。
【００２５】
以上のようにしてそれぞれのペアリング及び送受信チャンネルの設定を行う。その後、マイクロホン１に到来する音波は、音響電気変換部１１にて音声信号に変換され、さらにＢＴ送受信部１２にて無線信号（第１の無線信号）に変換されて送信される。このＢＴ送受信部１２から送信された無線信号は、送信機２のＢＴ送受信部２４にて受信される。この無線信号はＢＴ送受信部２４から音声信号送信処理部２３へ入力され、音声信号送信処理部２３にて、増幅及び変調等の必要な信号処理が施された後、送信アンテナ２１から無線信号（第２の無線信号）として送信される。
【００２６】
送信機２の送信アンテナ２１から送信される無線信号は、受信機３の受信アンテナ３１にて受信され、音声信号受信処理部３３へ入力される。この音声信号受信処理部３３へ入力された音声信号は、例えば、高周波増幅、周波数変換、中間周波増幅、検波（復調）、低周波増幅等の処理がなされて、出力端子ＯＵＴから外部のスピーカ（図示せず）へ出力される。
【００２７】
また、送信機２には、例えば、受信機３の出力端子ＯＵＴに接続されたスピーカの音量を調整するための音量調整ボリューム（図示せず）が設けられている。この音量調整ボリュームを操作することにより、その操作に応じて制御部２２は、音量制御信号をＢＴ送受信部２４から受信機３へ送信する。受信機３では、ＢＴ送受信部３４にて音量制御信号（無線信号）を受信し、制御部３２はこの音量制御信号に基づいて音声信号受信処理部３３内の増幅器の利得を調整することにより、出力端子ＯＵＴに接続されたスピーカから出力される音声の音量を制御する。
【００２８】
また、送信機２において、制御部２２では、電池残量検出部２５にて検出される電池残量データを所定時間間隔でＢＴ送受信部２４から受信機３へ送信する。受信機３では、ＢＴ送受信部３４にて電池残量データ（無線信号）を受信し、制御部３２はこの電池残量データに基づいて送信機２の電池残量を表示部３５に表示させる。この電池残量の表示方法は、どのような表示方法でもよく、例えば、数値あるいは棒状のグラフ等で５段階等に分けて表示すればよい。
【００２９】
また、送信機２には、音声信号送信処理部２３内の増幅器の利得を調整するための利得調整ボリューム（図示せず）が設けられている。この利得調整ボリュームを操作することにより、その操作に応じて制御部２２は、音声信号送信処理部２３内の増幅器の利得を調整する。
【００３０】
なお、送信機２と受信機３との間で送信アンテナ２１及び受信アンテナ３１を介して行われる無線通信の方式（第２の無線通信方式）は、ＢＴ送受信部２４、３４によって行われる無線通信の方式（第１の無線通信方式）よりも、通信可能距離が長く、消費電力が大きい、通常のワイヤレスマイクロホンシステムに用いられている方式である。したがって、マイクロホン１で拾った音をスピーカで拡声するときには送信機２と受信機３との距離が長くても使用することができる。一方、ＢＴ送受信部２４、３４による無線通信を行うときには送信機２と受信機３とを近づけた状態で使用するようにする。
【００３１】
本実施の形態によれば、マイクロホン１及び送信機２にＢＴ送受信部１２、２４を設け、マイクロホン１と送信機２との間の音声信号の伝送を、従来のケーブルに代えて、無線通信により行うようにしたため、従来のケーブルと人の体や衣服とが擦れたときに生じるケーブル摩擦音がマイクロホンに入力されることが無くなるとともに、ケーブルによって使用者の動作が制限されることがなく、自由な動作が可能になる。
【００３２】
さらに、送信機２と受信機３との間で、それぞれに設けられたＢＴ送受信部２４、３４を介して無線通信を行うことにより、例えば赤外線通信のように障害物による通信不良を回避することが可能になる。
【００３３】
また、送信機２のＢＴ送受信部２４等と同様のＢＴ送受信部を有し、送信機２及び受信機３を制御可能なリモートコントローラ（図示せず）を設けてもよい。この場合、例えば、リモートコントローラと送信機２との間でペアリングを行うとともに、リモートコントローラと受信機３との間でペアリングを行う。これにより、リモートコントローラと送信機２との間、及び、リモートコントローラと受信機３との間でそれぞれのＢＴ送受信部を介して、データ等の無線通信が可能になる。この場合、リモートコントローラを操作することにより送受信チャンネルを変更できるように構成されている。例えば管理者がリモートコントローラを携帯し、使用者がマイクロホン１を使用中に混信等が生じている場合に、管理者がリモートコントローラを操作して、受信機３に対し空きチャンネル情報の送信要求を送信する。これに対応して、受信機３から空きチャンネル情報をリモートコントローラへ送信する。管理者はリモートコントローラへ送信された空きチャンネル情報を見て、１つの空きチャンネルを変更すべきチャンネルに選択する操作を行う。これにより、変更すべきチャンネルの情報が送信機２及び受信機３へ送信され、送信機２及び受信機３では、それぞれ変更すべきチャンネルを送信チャンネル及び受信チャンネルに設定しなおす。このように、マイクロホン１を使用中であっても、送信チャンネル及び受信チャンネルを速やかに変更して混信等を回避することが可能になる。また、リモートコントローラに、それを操作することにより、受信機３の出力端子ＯＵＴに接続されたスピーカの音量を調整するために受信機３へ指示する機能を備えてあってもよいし、送信機２の音声信号送信処理部２３内の増幅器の利得を調整するために送信機２へ指示する機能を備えてあってもよい。
【００３４】
以上のように、マイクロホン１、送信機２及び受信機３の各機器に、さらには前述のリモートコントローラを含めた各機器に、上記のブルートゥース、ＵＷＢあるいはＺｉｇＢｅｅ等のＷＰＡＮの規格に準拠して無線通信を行うための送受信部を設けることにより、各機器間で各種情報や制御信号等の送受信が可能になる。なお、前述の送信機２から受信機３へ送信される音量制御信号、電池残量データ等は一例であり、各機器間で様々な各種情報や制御信号等の送受信を行うことが可能になる。また、このような送受信部をマイクロホン１及び送信機２に設けることにより、マイクロホン１と送信機２とを従来のケーブル接続を無くして分離し、マイクロホン１から送信機２への音声信号の伝送を無線通信により行うことができる。また、上記の送受信部として、例えば市販されている小型で安価なハードウェアを用いて構成することにより、各機器の小型化及び低コスト化を図ることができ、またワイヤレスマイクロホンシステム全体の低コスト化も図ることができる。
【産業上の利用可能性】
【００３５】
本発明に係るワイヤレスマイクロホンシステムは、マイクロホンの使用者の激しい動作にも対応できるワイヤレスマイクロホンシステム等として有用である。
【図面の簡単な説明】
【００３６】
【図１】本発明の実施の形態のワイヤレスマイクロホンシステムの構成を示すブロック図である。
【符号の説明】
【００３７】
１  マイクロホン
２  送信機
３  受信機
１１  音響電気変換部
１２  ブルートゥース（ＢＴ）送受信部
２１  送信アンテナ
２２  制御部
２３  音声信号送信処理部
２４  ブルートゥース（ＢＴ）送受信部
２５  電池残量検出部
３１  受信アンテナ
３２  制御部
３３  音声信号受信処理部
３４  ブルートゥース（ＢＴ）送受信部
３５  表示部
【図１】
2008022190.tif 000003